(57)【要約】      （修正有）【課題】バネを使用したパイプジョイントにおいても、バネが破壊切断が発生しても、太く重く頑丈なロックピンが落下しないようなパイプジョイントを提供する。【解決手段】パイプジョイントは縦パイプ１の中空内壁に挿入する内装パイプ２で、ロックピン４の両端に設けた係止爪４１を挿入して上下の縦パイプ１を結合し、ロックピン４の係止爪４１を押圧して係合を維持するバネ５を設けた上下の縦パイプ１を結合し、バネ５は山形で両下辺部５２は縦パイプのパイプ内壁を押圧し、山形頂部５１はロックピン４を押圧し、下辺部５２の一端はＵ字折返部５５を設けて折り返して押圧部５６を形成してロックピン４を押圧するとともに、末端部には係止固定部５８を設けてロックピン４の所定部分を係止することを特徴とするロックピン４の落下防止機構を有するパイプジョイント。【選択図】図１
2019049159.tif 000002
【特許請求の範囲】
【請求項１】
パイプジョイントは縦パイプの中空内壁に挿入する内装パイプからなり、内装パイプと上下の縦パイプとが結合する位置にそれぞれ内装パイプと縦パイプとを貫通する結合孔を設け、該結合孔にロックピンの両端に設けた係合部を挿入して上下の縦パイプを結合し、該ロックピンの係合部を押圧して係合を維持するバネを設けた、上下の縦パイプを結合するパイプジョイントであって、
該バネは山形で両下辺部はパイプジョイント本体のパイプ内壁を押し圧し、山形頂部は前記ロックピンを押圧し、前記下辺部の一端はＵ字折返部を設けて折り返して押圧部を形成して前記ロックピンを押し圧するとともに、その末端部には係止固定部を設けて前記ロックピンの所定部分を係止することを特徴とするロックピンの落下防止機構を有するパイプジョイント。
【請求項２】
前記固定係止部は、前記ロックピンの所定部分にバネの末端の３方から挟持するようにしたことを特徴とする請求項１に記載のロックピンの落下防止機構を有するパイプジョイント。
【請求項３】
前記固定係止部は、前記ロックピンの所定部分に、溶接により固着するようにしたことを特徴とする請求項１に記載のロックピンの落下防止機構を有するパイプジョイント。
【請求項４】
前記バネの山形における下辺部の他端は内側に折り返して表示部分を設け、該表示部分は外部から見える位置に製造時期または使用期限を表示することを特徴とする請求項１から３の何れかに記載のロックピンの落下防止機構を有するパイプジョイント。
【発明の詳細な説明】
【技術分野】
【０００１】
この発明は、パイプ製の建築や土木工事用の仮設足場を構築するため、鋼製中空パイプを上下に接続するために使用するパイプジョイントのロックピン等の落下防止機構に関する。
【背景技術】
【０００２】
仮設枠組足場の構築に使用する建枠は、鋼製中空パイプを用い、両側縦パイプを横パイプで結合して仮設足場を形成するが、この建枠を所定ピッチで対向状に配置し、対向する建枠をブレースで結合すると共に、建枠をパイプジョイントで上方に順次接続して継ぎ足すことによって仮設足場が組み立てられる。
このパイプジョイントは、特許文献１に開示され、図８に示すように、パイプジョイントは縦パイプの中空内壁に挿入する内装パイプからなり、内装パイプと上下の縦パイプとが結合する位置にそれぞれ内装パイプと縦パイプとを貫通する結合孔を設け、該結合孔にロックピンの両端に設けた係合部を挿入して上下の縦パイプを結合し、該ロックピンの係合部を押圧して係合を維持するバネを設けた、上下の縦パイプを結合するパイプジョイントで、該バネは山形で両下辺は内装パイプの内壁を押し圧したものである。
【先行技術文献】
【特許文献】
【０００３】
【特許文献１】特開２００６−２３３４８２号公報、
【発明の開示】
【発明が解決しようとする課題】
【０００４】
ところで、上記のような特許文献１は、図８(a)に示すように、パイプジョイントaは、山形の板バネｂを使用しているため、約１０年の経年変化で、屈曲部がもろくなり破壊切断が発生し、図８(b)に示すように、バネｂは分裂してバネ破片ｂ１、ｂ２の切断部材となって落下するばかりか、太く重いロックピンｃも係合部のロックプレートｄから脱離し縦パイプｅの管内或いは管外に落下することが多発し、不測の事故を生じることがあって、使用禁止措置を講じる等の対策をとることもあり、作業員が怪我をする深刻な問題となり改善が求められていた。
本発明が解決しようとする課題は、バネを使用したパイプジョイントａにおいても、バネｂが破壊切断が発生しても、太く重く頑丈なロックピンｃが落下しないようなパイプジョイントを提供することである。
また、別の課題として、経年劣化をするバネの使用期限が確認できるようにしたパイプジョイントを提供することである。
【課題を解決するための手段】
【０００５】
上記課題を解決するために、請求項１の発明は、パイプジョイントは縦パイプの中空内壁に挿入する内装パイプからなり、内装パイプと上下の縦パイプとが結合する位置にそれぞれ内装パイプと縦パイプとを貫通する結合孔を設け、該結合孔にロックピンの両端に設けた係合部を挿入して上下の縦パイプを結合し、該ロックピンの係合部を押圧して係合を維持するバネを設けた、上下の縦パイプを結合するパイプジョイントであって、
該バネは山形で両下辺部はパイプジョイント本体のパイプ内壁を押し圧し、山形頂部は前記ロックピンを押圧し、前記下辺部の一端はＵ字折返部を設けて折り返して押圧部を形成して前記ロックピンを押し圧するとともに、その末端部には係止固定部を設けて前記ロックピンの所定部分を係止することを特徴とするロックピンの落下防止機構を有するパイプジョイントである。
【０００６】
請求項２の発明は、請求項１に記載のロックピンの落下防止機構を有するパイプジョイントにおいて、前記固定係止部は、前記ロックピンの所定部分にバネの末端の３方から挟持するようにしたことを特徴とする。
請求項３の発明は、請求項１に記載のロックピンの落下防止機構を有するパイプジョイントにおいて、前記固定係止部は、前記ロックピンの所定部分に、溶接により固着するようにしたことを特徴とする。
請求項４の発明は、請求項１から３の何れかに記載のロックピンの落下防止機構を有するパイプジョイントにおいて、前記バネの山形における下辺部の他端は内側に折り返して表示部分を設け、該表示部分は外部から見える位置に製造時期または使用期限を表示することを特徴とする。
【発明の効果】
【０００７】
本発明のロックピンの落下防止機構を有するパイプジョイントによれば、バネが屈曲部等で破断しても、Ｕ字折返部と折返し押圧部とでロックピンを押し圧するので、ロックピンの設けた係合部を挿入し状態に維持するので、ロックピンが落下するのを防止する。この際、係止固定部でロックピン４とバネの切断部分とが離れないようにしているので、更に、ロックピン４の落下を確実に防止できる。
さらに、バネの山形おける下辺部の他端は内側に折り返して表示部分を設けて、表示部分は外部から見える位置に設けて製造時期または使用期限を表示するようにしたので、解体時に使用期限を確認することができ、使用期限を越えたパイプジョイント２やバネを予め交換することができる。
【図面の簡単な説明】
【０００８】
【図１】図１(ａ)は、本発明の実施例のパイプジョイントで上下の縦パイプを結合状態の全体の断面図、図１(ｂ)は図１(ａ)のＡ−Ａ線での断面図、
【図２】図２(ａ)は、図１の状態から上縦パイルを抜く、または、結合する状態の全体の断面図、図２(ｂ)は図２(ａ)のＢ−Ｂ線での断面図、
【図３】図３(ａ)は、図１のカラー部の正面図、実施例の縦支柱に固着するフランジの斜視図、図３(ｂ)は図３(ａ)のＣ−Ｃ線での断面図、
【図４】パイプジョイント本体内でのロックピンと板バネとの挙動を説明する断面図、
【図５】図５(ａ)は、ロックピンと板バネを取り上げて板バネの断面図、図５(ｂ)は板バネがＤ−Ｄ線での断面図で、板バネの末端部の構造を説明する図、
【図６】パイプジョイント本体内でのロックピンと板バネとの関係を説明する斜視図、
【図７】板バネが破断した場合の、パイプジョイント内でのロックピンの挙動を説明する断面図、
【図８】図８(ａ)は、従来のパイプジョイントの断面図、図８(ｂ)は、板バネが破断した場合の挙動を説明する断面図である。
【０００９】
以下に本発明のパイプジョイントの好適な実施例を図面に沿って説明する。
先ず、本実施例のパイプジョイントについて、全体についての概略斜視図の図１、２に沿って本実施例の概要を説明する。
【００１０】
図１に示すように、上下に長いジョイントパイプ本体２と、このジョイントパイプ本体２内に組み込んだロックピン４と、このロックピン４を一方に押圧する板バネ５と、ジョイントパイプ本体２の中央部に設けたカラー部３の位置にロックプレート挿入孔３１に内外に貫通するロックプレート６との組み合せによって構成され、前記ロックプレート挿入孔３１には、ロックプレート６を押し込み位置でロックプレート６の嵌合細巾部６３と後部当接縁６４を係合する係合凹部３１１が設けられている。なお、ロックプレート６の前部当接縁６５は、操作片６２がロックプレート挿入孔３１の係合凹部３１１に係止してジョイントパイプ本体２内に落下するのを防止する。
上記ジョイントパイプ本体２は、縦パイプ１(１１)内に嵌合する外径の中空パイプからなり、上下方向の中央部外周面にカラー部３まで外嵌固定し、下半部に挿入した下位建枠における下縦パイプ１２の上端がカラー部３の下端に当接する。
【００１１】
上縦パイプ１１と下縦パイプ１２を結合するには、上記したように、ジョイントパイプ本体２のカラー部３の上下に上縦パイプ１１と下縦パイプ１２を嵌合し、縦パイプ１の上結合貫通孔１１１とジョイントパイプ本体２の上結合貫通孔２２ａを一致させ、同様に、縦パイプ１の下結合貫通孔１２１とジョイントパイプ本体２の下結合貫通孔２２ｂを一致させる。
そして、ロックピン４の上下の係止爪４１の内、上係止爪４１ａを上結合貫通孔１１１と上結合貫通孔２２ａに誘導傾斜部４２を介して嵌合し、同様に、下係止爪４１ｂを下結合貫通孔１２１と下結合貫通孔２２ｂに誘導傾斜部４２を介して嵌合して、上縦パイプ１１と下縦パイプ１２を結合する。
【００１２】
この結合状態を維持するため、ロックピン４の上下の係止爪４１を常に結合貫通孔２２に嵌合状態にしなければならないが、板バネ(バネ)５でロックピン４を結合貫通孔２２側に常時押し圧している。このように、ロックピン４は仮足場の上下の縦パイプ１を結合する重要な部材であることから、過大な負荷にも耐えられるように、太く重く鋼鉄で頑丈に製造されている。
【００１３】
仮足場解体時には、図２に示すように、先ず、上縦パイプ１１をジョイントパイプ本体２から引き抜くが、この際に上結合貫通孔２に嵌合している上係止爪４１ａを板バネ５の押圧力に抗してジョイントパイプ本体２の内部に後退させて結合状態を解除する。
ロックプレート６を操作するが、図３を合わせて説明すると、ジョイントパイプ本体２の長さ方向のほぼ中央部にロックプレート挿入孔２４が設けられ、このジョイントパイプ本体２と一致する位置に、カラー部３にもロックプレート挿入孔３１が設けられている。
図１に示すように、ロックプレート６の嵌合細巾部６３はカラー部３のロックプレート挿入孔３１の上部３１２が巾広い位置にあるため、ロックピン４は束縛されずに、板バネ(バネ)５でロックピン４を結合貫通孔２２側に常時押し圧状態にある。この押し圧状態を解除する操作は、図２に示すように、ロックプレート６の内部側先端の二股部６１にロックピン４の所定位置の第１扁平部４４に係合させているので、ロックプレート６の操作片６２をジョイントパイプ本体２の内部側に押し込んでロックピン４を後退させれば、上係止爪４１ａも後退させて結合状態を解除する。この状態を維持するには、ロックプレート６の嵌合細巾部６３がロックプレート挿入孔３１の下部の係合凹部３１１に嵌合して、ロックプレート６が内部押し込んだ状態を維持する。
【００１４】
次の仮足場の構築時には、ジョイントパイプ本体２に上縦パイプ１１を挿入し、ロックプレート６の操作部挿入片６２を係合凹部３１１から挙げて係止状態を解除すれば、図１に示すように、板バネ５によって、上係止爪４１ａが上結合貫通孔１１１と上結合貫通孔２２ａに誘導傾斜部４２によって挿入され嵌合し、結合する。
【００１５】
なお、下縦パイプ１２の下係止爪４１ｂが、下結合貫通孔１２１と上結合貫通孔２２ｂに誘導傾斜部４２を介して嵌合し上縦パイプ１１と下縦パイプ１２を結合状態は、通常、仮足場を解体してもそのままにして、次の仮足場の構築時に使用する。また、更にパイプジョイント本体２を下縦パイプ１２から脱離するには、下係止爪４１ｂをロックプレート６が内部押し込む専用工具を用いればよい。
【００１６】
[ロックピンと板バネの構成]
先ず、図４に沿って、ロックピン４と板バネ５の構成を説明するが、板バネ(バネ)５は山形で山形頂部５１は、ロックピン４の長さ方向のほぼ中央部に設けた係合凹部４３に嵌まり、両下辺部５２は パイプジョイント本体２のパイプ内壁２３(２３’)を押し圧し、前記下辺部５２ｂの下側の一端はＵ字折返部５５を設けて折り返して押圧部５６を形成して前記ロックピン４を押し圧するとともに、その末端部５７には係止固定部５８を設けて、丸棒のロックピン４の両端を削って扁平にした第２扁平部４５に係止固定している。
本実施例での上記板バネ５における一方の端末部５７の固定係止部５８は、図６の○Ｃ箇所に示すように、第２扁平部４５を両側から挟む挟持片５８１、５８２と、挿入側から押さえる押圧片５８３の三方から挟んで固定する。この係止固定手段は、溶接により固着するようにしてもよい。
また、板バネ５の山形の下辺部５２a(５２)の他端は内側に折り返して表示部分５４を設け、該表示部分５４はパイプジョイント本体２を開口から覗けば外部からも見える位置に製造時期または使用期限を表示することができればよい。これは図６に示すように、例えば、製造年月として２０１６年１０月であれば、[2016.10]と刻印、或いは印刷すればよい。
【００１７】
このような構成であるので、本発明の特徴の１つであるパイプジョイントでのロックピン４の落下防止機構を構成するが、従来のパイプジョイントでは、製造してから１０程度経年すると、図７(ａ)に示すように、板バネｂに金属疲労や腐食等で、特にＡ、Ｂ箇所で破断することが多く発生し、図７(ｂ)に示すように、バネｂにより、ロックピンｃを支えることが出来なくなり、仮足場解体時にロックピンｃやバネの切断部分ｂ１,ｂ２の落下し、特にする事故が多発した。これを防ぐために、本発明の実施例では、板バネ５の切断した１部が落下しても、重い ロックピンは落下しない機構にしたものである。
図５に示すように、板バネ５の屈曲部５３の○印箇所Ａ,Ｂは変形が繰り返され箇所で、ここで切断することが多い。
【００１８】
そこで、図７では、板バネ５が○印箇所Ｂで破断が起きた場合に、板バネ５は上部切断部分５Ａと下部切断部分５Ｂに分裂するが、上部切断部分５Ａは落下するが、薄く軽く部材であるので落下しても大きな事故にはならない。しかし、ロックピン４は重く比較的大きな部材であるので、落下すると非常に危険である。
この場合、図７に示すように、Ｕ字折返部５５と折返し押圧部５６とでロックピン４の下係止爪４１ｂを下結合貫通孔１２１と下結貫通孔２２ｂに嵌合した状態に維持し落下するのを防止する。この際、係止固定部５８でロックピン４と下部切断部分５Ｂとは離れないようにすれば、更に、ロックピン４の落下を確実に防止できる。
【００１９】
また、板バネ５の下辺部５２a(５２)の他端は内側に折り返して表示部分５４を設け、該表示部分５４はパイプジョイント本体２を開口から覗けば外部からも見える位置に製造時期または使用期限等を表示するようにしたので、解体時に使用期限を確認することができ、使用期限を越えたパイプジョイント２やバネ４だけを予め交換することができる。
【００２０】
以上のように、本発明の実施例におけるロックピンの落下防止機構を有するパイプジョイントによれば、バネが屈曲部等で破断しても、Ｕ字折返部と折返し押圧部とでロックピンを押し圧するので、ロックピンの設けた係合部を挿入し状態に維持するので、ロックピンが落下するのを防止する。この際、係止固定部でロックピン４とバネの切断部分とが離れないようにしているので、更に、ロックピン４の落下を確実に防止できる。
さらに、バネの山形における下辺部の他端は内側に折り返して表示部分を設けて、表示部分は外部から見える位置に設けて製造時期または使用期限を表示するようにしたので、解体時に使用期限を確認することができ、使用期限を越えたパイプジョイント２を予め交換することができる。
なお、本発明の特徴を損なうものでなければ、上記の実施例に限定されるものでないことは勿論である。
【符号の説明】
【００２１】
ａ・・パイプジョイント、ｂ・・板バネ、ｂ１,ｂ２・・切断部分、
ｃ・・ロックピン、ｄ・・ロックプレート、ｅ・・縦パイプ
１・・縦パイプ、１１・・上縦パイプ、１１１・・上結合貫通孔
１２・・下縦パイプ、１２１・・下結合貫通孔
２・・パイプジョイント（本体） 、２２・・結合貫通孔、
２２a・・上結合貫通孔、２２ｂ・・下結合貫通孔、
２３,２３'・・パイプ内壁、
２４・・ロックプレート挿入孔、
３・・カラー部、３１・・ロックプレート挿入孔、
３１１・・係合凹部、３１２・・上部、
４・・ロックピン、４１・・係止爪、４１a・・上係止爪、
４１ｂ・・下係止爪、４２・・誘導傾斜部、４３・・係合凹部、
４４・・第１扁平部、４５・・第２扁平部、
５・・  板バネ、５Ａ・・上部切断部分、５Ｂ・・下部切断部分、
５１・・山形頂部、５２,５２ａ,５２ｂ・・下辺部、
５３・・屈曲部、５３a・・上辺屈曲部、５３ｂ・・下辺屈曲部、
５４・・表示部分、５５・・Ｕ字折返部、５６・・折返し押圧部、
５７・・末端部、５８・・係止固定部、５８１,５８２・・挟持片、
５８３・・押圧片、
６・・ロックプレート、６１・・二股部、６２・・操作片、６３・・嵌合細巾部、６４・・後部当接縁、６５・・前部当接縁、
【図１】
2019049159.tif 000003
【図２】
2019049159.tif 000004
【図３】
2019049159.tif 000005
【図４】
2019049159.tif 000006
【図５】
2019049159.tif 000007
【図６】
2019049159.tif 000008
【図７】
2019049159.tif 000009
【図８】
2019049159.tif 000010